(57)【要約】【課題】  空調機の集中管理システムにおいて、各グループ単位に分かれた空調場所の快適性レベルに応じた効率的な省エネ運転を行なうことができるようにすること。【解決手段】  空調機の集中管理システム１００は、１台以上の室外機２８、２９と、多数の室内機３０〜３５と、室外機２８、２９及び室内機３０〜３５を集中管理する集中管理装置２５とをネットワーク２７を介して接続している。集中管理装置２５は、室内機３０〜３５を空調場所毎に複数のグループに分け、空調場所毎の快適性レベルに対応して省エネ運転レベルを設定し、この省エネ運転レベルに基づいてグループ毎の省エネ運転を行なうように制御する機能を備えている。【選択図】  図１
2005127618.tif 000002
【特許請求の範囲】
【請求項１】
１台以上の室外機と、多数の室内機と、前記室外機及び前記室内機を集中管理する集中管理装置とをネットワーク接続した空調機の集中管理システムにおいて、
前記集中管理装置は、前記室内機を空調場所毎に複数のグループに分け、前記空調場所毎の快適性レベルに対応して省エネ運転レベルを設定し、この省エネ運転レベルに基づいて前記グループ毎の省エネ運転を行なうように制御する機能を備えている
ことを特徴とする空調機の集中管理システム。
【請求項２】
請求項１に記載の集中管理システムにおいて、前記省エネ運転レベルは快適性レベルに応じた段階的な複数レベルであることを特徴とする空調機の集中管理システム。
【請求項３】
請求項２に記載の集中管理システムにおいて、前記集中管理装置は段階的な前記省エネ運転レベルを選定できる操作パネルを備えていることを特徴とする空調機の集中管理システム。
【請求項４】
請求項１に記載の集中管理システムにおいて、前記省エネ運転は前記省エネ運転レベルに応じて該当するグループの前記室内機の運転と停止とを交互に繰り返す間引き運転であることを特徴とする空調機の集中管理システム。
【請求項５】
請求項４に記載の集中管理システムにおいて、前記間引き運転は段階的な前記省エネ運転レベルに対応する段階的な間引き運転であることを特徴とする空調機の集中管理システム。
【請求項６】
請求項１に記載の集中管理システムにおいて、前記省エネ運転は各グループの空調場所の設定温度を省エネ運転レベルに応じて段階的に変更する運転であることを特徴とする空調機の集中管理システム。
【発明の詳細な説明】
【技術分野】
【０００１】
本発明は、空調機の集中管理システムに係り、特に室内機をグループ分けした空調機の集中管理システムに好適なものである。
【背景技術】
【０００２】
従来の空調機の集中管理システムとしては、特開２０００−１８６８７号公報（特許文献１）に示されたものがある。この特許文献１の集中管理システムは、快適性をほとんど損なうことなく、有効なピークカットを実現できるようにすることを目的とし、複数台設けられた各空調機毎にネットワークに接続可能な空調機コントローラを設け、各空調機コントローラを中央の管理装置とネットワークで結合し、該ネットワーク経由で各空調機の本体又は周辺の時々刻々の温度信号を中央の管理装置に送出し、これらのデータに基づいて得た各種の操作信号を中央の管理装置から前記ネットワーク経由で各空調機コントローラに送出するように形成したものである。
【０００３】
そして、具体的には次のように記載されている。複数台の空調装置は、ピークカットを効果的に行なうため、複数台を、いくつかのグループに分割している。このグループ分けは、各グループの容量が略均等になるように行われるとともに、近傍の空調装置は、異なるグループに分けるようにする。このようにグループ分けした空調装置における運転は、グループ毎に適当な間隔で交互に運転を行い、グループ間で同時に運転を行なわないようにする。各グループ毎の運転の切り替えのタイミングは、停止している空調機の周辺の温度条件が、運転を必要とする条件になったときに切り替え指令が出される。このように運転を行なうことにより、例えば、２グループに分ければ、空調負荷のピークを、略半分に減少させることができる。
【０００４】
【特許文献１】特開２０００−１８６８７号公報
【発明の開示】
【発明が解決しようとする課題】
【０００５】
空調機の集中管理システムが適用されるビル、学校等においては、高い快適性を維持しなければならない場所とあまり高い快適性を必要とない場所（例えば、人があまり出入りすることが少なく、短時間しかいない場所など）とが一般に存在する。しかし、特許文献１の集中管理システムでは、かかる空調場所の必要な快適性レベルの差に関して十分に配慮されているものではなかった。
【０００６】
すなわち、特許文献１の集中管理システムは、各グループの容量が略均等で且つ近傍の空調装置が異なるグループに分けられてグループ毎に交互に運転が行なわれるものであって、ピークカットには効果的であるが、高い快適性を維持しなければならない場所とあまり高い快適性を必要としない場所とを同じ快適性レベルで空調しているものである。このため、あまり高い快適性を必要としない場所を必要以上に空調することとなり、空調全体としての省エネを十分に図ることができなかった。
【０００７】
本発明の目的は、各グループ単位に分かれた空調場所の快適性レベルに応じた効率的な省エネ運転を行なうことができる空調機の集中管理システムを提供することにある。
【課題を解決するための手段】
【０００８】
前記目的を達成するために、本発明は、１台以上の室外機と、多数の室内機と、前記室外機及び前記室内機を集中管理する集中管理装置とをネットワーク接続した空調機の集中管理システムにおいて、前記集中管理装置は、前記室内機を空調場所毎に複数のグループに分け、前記空調場所毎の快適性レベルに対応して省エネ運転レベルを設定し、この省エネ運転レベルに基づいて前記グループ毎の省エネ運転を行なうように制御する機能を備えている構成としたものである。
【０００９】
本発明において、好ましくは、次の構成としたものである。
（１）前記省エネ運転レベルは快適性レベルに応じた段階的な複数レベルであること。
（２）前記集中管理装置は段階的な前記省エネ運転レベルを選定できる操作パネルを備えていること。
（３）前記省エネ運転は前記省エネ運転レベルに応じて該当するグループの前記室内機の運転と停止とを交互に繰り返す間引き運転であること。
（４）前記間引き運転は段階的な前記省エネ運転レベルに対応する段階的な間引き運転であること。
（５）前記省エネ運転は各グループの設定温度を省エネ運転レベルに応じて段階的に変更する運転であること。
【発明の効果】
【００１０】
本発明によれば、集中管理装置は、室内機を空調場所毎に複数のグループに分け、空調場所毎の快適性レベルに対応して省エネ運転レベルを設定し、この省エネ運転レベルに基づいてグループ毎の省エネ運転を行なうように制御する機能を備えているので、各グループ単位に分かれた空調場所の快適性レベルに応じた効率的な省エネ運転を行なうことができる空調機の集中管理システムを得ることができる。
【発明を実施するための最良の形態】
【００１１】
以下、本発明の一実施例の空調機の集中管理システムを図に基づいて説明する。
【００１２】
まず、本実施例の空調機の集中管理システムの全体に関して図１を参照しながら説明する。図１は本発明の一実施例の空調機の集中管理システムの構成図である。
【００１３】
空調機の集中管理システム１００は、ビルや学校などの複数階の建物２１を空調するために用いられるものであり、１台以上の室外機２８、２９と、多数の室内機３０〜３５と、室外機２８、２９及び室内機３０〜３５を集中管理する集中管理装置２５とをネットワーク２７を介して接続して構成されている。すなわち、空調機集中管理システムは、集中管理装置２５と各室外機２８、２９と各室内機３０〜３５とをシリアル伝送方式、ＬＡＮ方式等でネットワーク接続し、相互にデータの送受信をするようにしている。また、空調機集中管理システムは各室内機３０〜３５を各フロア、部屋等の設置されている空調場所ごとにグループ分けし、集中管理装置２５はこのグループ単位で運転管理するようになっている。
【００１４】
集中管理装置２５は、建物２１に付属する空調管理室２４内に配置されている。なお、空調管理室２４は建物２１内の一部に設けられていてもよい。そして、集中管理装置２５は、室内機３０〜３５を場所毎に複数のグループに分け、室内機３０〜３５のグループ毎に快適性レベルに対応する省エネ運転レベルを設定し、この省エネ運転レベルに基づいて各グループの省エネ運転を行なうように制御する機能を有している。
【００１５】
さらには、集中管理装置２５は、操作パネル１を備えており、この操作パネル１により運転指令を設定するようになっている。
【００１６】
室外機２８、２９と室内機３０〜３５とは、冷媒配管、電気配線、信号配線などを介して接続されている。室外機２８、２９は、冷凍サイクルを構成する圧縮機、室外熱交換器、減圧装置や、室外空気を通風するための室外ファンなどを備えている。室内機３０〜３５は、冷凍サイクルを構成する室内熱交換器や、室内空気を通風する室内ファンなどを備えている。そして、各室外機２８、２９は、複数の室内機３０〜３２、３３〜３５を分担するようになっている。室外機２８、２９は、建物２１の外部（図示例では屋上）に配置されているが、建物２１内の一部を外部と連通するように仕切って配置してもよい。
【００１７】
多数の室内機３０〜３５は、集中管理装置２５によって複数のグループに分割され、それぞれのグループ毎に複数の空調場所、例えば複数のフロア２２、２３に分けられて配置されている。図示例では、フロア２２に室内機３０〜３２の３台が配置されてグループ１とし、フロア２３に室内機３３〜３５の３台が配置されてグループ２としている。
【００１８】
次に、操作パネル１に関して図２を参照しながら説明する。図２は図１の空調機集中管理システムの操作パネルの正面図である。
【００１９】
操作パネル１は、省エネ設定スイッチ２、表示部３及び操作スイッチ５を備えて構成されている。この操作パネル１はリモコンに設けられていてもよい。
【００２０】
操作スイッチ５は、複数のスイッチで構成されており、それぞれのスイッチにより、グループの選択、空調運転モード（例えば、冷房運転モード、暖房運転モード、除湿運転モードなど）の設定、空調場所の室温の設定、室内ファン風速の設定などの各種の操作を行なうことができるように構成されている。
【００２１】
表示部３は、操作スイッチ５による各種の操作状態を表示する部分と、省エネモニタ部４とを有している。この省エネモニタ部４は、各グループにおける省エネ運転レベルをモニタするための部分であり、省エネ運転レベルを複数の段階でモニタできるようになっている。図示例では、省エネ運転レベル１〜５の５段階で右側に高くなるように表示され、選定された省エネ運転レベルまでが黒く表示されるようになっている。かかる表示部３の構成によって、省エネ運転レベルを容易に設定及び確認することができる。
【００２２】
省エネ設定スイッチ２は、空調管理者が手動で各グループの省エネ運転レベルを設定するためのものであり、左右二つの押しボタンで構成されると共に、省エネモニタ部４の下方に隣接して配置されている。右側のボタンを押すことにより省エネ運転レベルが高くなり、左側のボタンを押すことにより省エネ運転レベルが低くなるように設定されている。なお、この省エネ設定スイッチ２は、レベル０で通常の能力優先の運転とし、レベル１〜５で省エネ運転とする。かかる省エネ設定スイッチ２の構成によって、省エネ運転レベルの設定を容易に行なうことができる。
【００２３】
この図示例では、グループ１が選定され、空調場所であるフロア２２の設定温度が１８℃、室内ファン風速が微風に選定された冷房運転状態であり、最も高い省エネ運転レベル５が選定されている状態である。
【００２４】
前述した省エネ運転は、省エネ運転レベル５に応じて該当するグループ１の室内機３０〜３２における運転と停止とを交互に繰り返す間引き運転で行なわれる。そして、省エネ運転レベルは、この間引きする時間間隔を段階的に複数設けたものに対応するようになっている。省エネ運転レベルが低ければ、停止時間が短く快適性を優先した運転となり、省エネ運転レベルが高ければ、停止時間が長く省エネ化を優先した運転となる。空調管理者がこの間引き間隔を任意に設定できるようにすれば、よりきめ細かい空調管理を行なうことができる。かかる省エネ運転は簡単な構成で省エネを図ることができる。なお、冷房運転の場合には、停止時に送風運転を行なうようにしてもよい。
【００２５】
また、省エネ運転は、各グループの空調場所の設定温度を省エネ運転レベルに応じて段階的に変更する運転で行なわれるようにしてもよい。
【００２６】
さらには、各グループの使用電力量を計測し、その使用電力量に応じた省エネ運転レベルを自動判別し、これに基づいて省エネ運転レベルが変更されるようにしてもよい。この場合には、より実体に即した省エネ運転を行なうことができる。
【００２７】
本実施例によれば、集中管理装置２５は、室内機３０〜３５を空調場所２２、２３毎に複数のグループ１、２に分け、空調場所２２、２３毎の快適性レベルに対応して省エネ運転レベルを設定し、この省エネ運転レベルに基づいてグループ１、２毎の省エネ運転を行なうように制御する機能を備えているので、各グループ単位に分かれた空調場所２２、２３の快適性レベルに応じた効率的な省エネ運転を行なうことができる空調機の集中管理システムを得ることができる。
【図面の簡単な説明】
【００２８】
【図１】本発明の一実施例の空調機集中管理システムの構成図である。
【図２】図１の空調機集中管理システムの操作パネルの正面図である。
【符号の説明】
【００２９】
１…操作パネル、２…省エネ設定スイッチ、３…表示部、４…省エネモニタ部、５…操作スイッチ、２１…建物、２２、２３…フロア、２４…空調管理室、２５…集中管理装置、２７…ネットワーク、２８、２９…室外機、３０〜３５…室内機、１００…空調機集中管理システム。
【図１】
2005127618.tif 000003
【図２】
2005127618.tif 000004